(57)【要約】【課題】開放位置においてシート支持面として機能するカバーを備え、そのカバーを開く際に、ユーザの誤操作を抑制することができる画像読取装置を提供する。【解決手段】開閉部９は、閉じた状態で外装面９Ｓの一部を構成する第１、２カバー１００、２００を含む。第１、２カバー１００、２００が閉じた状態で、第１カバー１００における第１軸心Ｘ１とは反対側の第１端縁１０１と、第２カバー２００における第２軸心Ｘ２とは反対側の第２端縁２０２とが隣接する。第１カバー１００と第２カバー２００との間には、第１、２カバー１００、２００が閉じた状態で、第１端縁１０１が第１軸心Ｘ１周りで変位することを規制する一方、第２端縁２０２が第２軸心Ｘ２周りで変位することを許容する規制手段１１１、１１２、２２１、２２２が設けられる。【選択図】図６
2016058862.tif 000002
【特許請求の範囲】
【請求項１】
原稿を支持する原稿支持面が形成された本体部と、
前記本体部内に設けられ、前記原稿支持面に支持された原稿の画像を読み取る読取部と、
前記本体部に揺動軸心周りで揺動可能に支持され、前記原稿支持面を覆う閉鎖位置と、前記原稿支持面を露出させる開放位置とに変位可能な開閉部と、
前記開閉部内に設けられ、シートを所定の搬送経路に沿って搬送し、前記読取部によるシートの画像の読み取りを可能とする搬送部と、を備える画像読取装置であって、
前記開閉部は、前記原稿支持面と対向する面とは反対側の面が前記画像読取装置の外装面を構成しており、
前記開閉部は、前記揺動軸心と直交する第１方向に延びる第１軸心周りで開閉可能であって、閉じた状態で前記外装面の一部を構成すると共に前記搬送部を覆う第１カバーと、
前記第１軸心と平行な第２軸心周りで開閉可能であって、閉じた状態で前記第１カバーと共に前記外装面の一部を構成し、開いた状態で前記外装面とは反対側の面が前記搬送部によって搬送されるシート、又は前記搬送部から排出されたシートを支持するシート支持面を構成する第２カバーと、を含み、
前記第１カバーと前記第２カバーとが閉じた状態で、前記第１カバーにおける前記第１軸心とは反対側の第１端縁と、前記第２カバーにおける前記第２軸心とは反対側の第２端縁とが隣接し、
前記第１カバーと前記第２カバーとの間には、前記第１カバーと前記第２カバーとが閉じた状態で、前記第１端縁が前記第１軸心周りで変位することを規制する一方、前記第２端縁が前記第２軸心周りで変位することを許容する規制手段が設けられていることを特徴とする画像読取装置。
【請求項２】
前記規制手段は、前記第１カバーに形成され、前記第１カバーと前記第２カバーとが閉じた状態で、前記第１端縁側から前記第２端縁に向かって前記シート支持面に沿うように突出し、前記外装面に略直交する第２方向に凹む凹部を有する突出部と、
前記第２カバーに形成され、前記第１カバーと前記第２カバーとが閉じた状態で、前記第２端縁側から前記本体部側に向かって前記第２方向に突出し、前記凹部に進入する凸部とを含んでいる請求項１記載の画像読取装置。
【請求項３】
前記第１カバーと前記第２カバーとが閉じた状態で、前記第１カバーにおける前記突出部は、前記第２方向から見て、前記第２カバーの前記第２端縁と重なる位置に設けられている請求項２記載の画像読取装置。
【請求項４】
前記第２カバーには、前記第２端縁に隣接する位置で開口する、又は前記第２端縁から前記第２軸心側に凹むように切り欠かれた開口部が形成されている請求項２又は３記載の画像読取装置。
【請求項５】
前記規制手段は、前記開口部の近傍に配置されている請求項４記載の画像読取装置。
【請求項６】
前記規制手段は、前記凹部としての第１凹部及び第２凹部と、前記凸部としての第１凸部及び第２凸部とを含み、
前記第１カバーと前記第２カバーとが閉じた状態で、前記第１凹部及び前記第１凸部は、前記開口部における前記第１方向の一端側に配置され、前記第２凹部及び前記第２凸部は、前記開口部における前記第１方向の他端側に配置されている請求項５記載の画像読取装置。
【請求項７】
前記第１カバーと前記第２カバーとが閉じた状態で、前記第１凸部が前記第１凹部の第１内壁面に前記第１方向の内側から当接し、かつ、前記第２凸部が前記第２凹部の第２内壁面に前記第１方向の内側から当接している請求項６記載の画像読取装置。
【請求項８】
前記第２軸心から前記凸部までの距離は、前記第１軸心から前記凹部までの距離よりも長く設定されている請求項２乃至７のいずれか１項記載の画像読取装置。
【請求項９】
前記搬送経路は、前記搬送部によって搬送されるシートの搬送方向を変更して前記第１端縁に向けて案内する湾曲経路を含み、
前記第１カバーの前記外装面とは反対側には、前記湾曲経路を通過するシートを案内して第１端縁の近傍を通過させる案内面が形成されている請求項１乃至８のいずれか１項記載の画像読取装置。
【請求項１０】
前記開閉部は、閉じた状態の前記第１カバーに係合し、前記第１カバーが開かれる際に、前記第１カバーに摺接しつつ前記第１方向の外側に弾性変形する変形部を有し、
前記規制手段は、前記第１カバーと前記第２カバーとが閉じた状態で、前記変形部に作用して前記第１方向の外側への弾性変形を規制する一方、前記第２カバーが開かれることに連動して前記変形部の前記第１方向の外側への弾性変形を許容するリンク機構を含んでいる請求項１乃至９のいずれか１項記載の画像読取装置。
【発明の詳細な説明】
【技術分野】
【０００１】
本発明は画像読取装置に関する。
【背景技術】
【０００２】
特許文献１に従来の画像読取装置の例が開示されている。この画像読取装置は、本体部と読取部と開閉部と搬送部とを備えている。本体部には、原稿を支持する原稿支持面が形成されている。読取部は、本体部内に設けられている。読取部は、原稿支持面に支持された原稿の画像を移動しながら読み取る。また、開閉部は、本体部に揺動軸心周りで揺動可能に支持されている。開閉部は、原稿支持面を覆う閉鎖位置と、原稿支持面を露出させる開放位置とに変位可能である。搬送部は、開閉部内に設けられている。搬送部は、シートを所定の搬送経路に沿って搬送し、その搬送過程において、所定の停止位置にある読取部によりシートの画像が読み取られる。
【０００３】
開閉部は、原稿支持面と対向する面とは反対側の面が画像読取装置の外装面を構成している。開閉部は、第１カバーと第２カバーとを含んでいる。第１カバーは、開閉部の揺動軸心と直交する第１軸心周りで開閉可能である。第１カバーは、閉じた状態で外装面の一部を構成すると共に搬送部を覆う。第２カバーは、第１軸心と平行な第２軸心周りで開閉可能である。第２カバーは、閉じた状態で第１カバーと共に外装面の一部を構成し、開いた状態で外装面とは反対側の面がシート支持面を構成する。
【０００４】
第１カバーと第２カバーとが閉じた状態で、第１カバーにおける第１軸心とは反対側の第１端縁と、第２カバーにおける第２軸心とは反対側の第２端縁とが隣接する。
【０００５】
この画像読取装置では、第２カバーが開いた状態で、搬送部によって搬送されるシートをシート支持面が支持する。また、この画像読取装置では、第１カバーが開いた状態で、搬送部内で詰まったシートの除去等、搬送部の保守作業を実施できる。
【先行技術文献】
【特許文献】
【０００６】
【特許文献１】特開２０１４−１０８８３６号公報
【発明の概要】
【発明が解決しようとする課題】
【０００７】
ところで、上記従来の画像読取装置では、シートを搬送しながらシートの画像を読み取りたい場合には、第２カバーだけが開いている状態であればよい。通常、第１カバーは、保守作業等の特別な場合を除き、開放する必要はない。しかしながら、従来の装置においては、第２カバーを開放しようとして、間違って第１カバーを開放してしまう可能性がある。
【０００８】
本発明は、上記従来の実情に鑑みてなされたものであって、開放位置においてシート支持面として機能するカバーを備え、そのカバーを開く際に、ユーザの誤操作を抑制することができる画像読取装置を提供することを目的とする。
【課題を解決するための手段】
【０００９】
本発明の画像読取装置は、原稿を支持する原稿支持面が形成された本体部と、
前記本体部内に設けられ、前記原稿支持面に支持された原稿の画像を読み取る読取部と、
前記本体部に揺動軸心周りで揺動可能に支持され、前記原稿支持面を覆う閉鎖位置と、前記原稿支持面を露出させる開放位置とに変位可能な開閉部と、
前記開閉部内に設けられ、シートを所定の搬送経路に沿って搬送し、前記読取部によるシートの画像の読み取りを可能とする搬送部と、を備える画像読取装置であって、
前記開閉部は、前記原稿支持面と対向する面とは反対側の面が前記画像読取装置の外装面を構成しており、
前記開閉部は、前記揺動軸心と直交する第１方向に延びる第１軸心周りで開閉可能であって、閉じた状態で前記外装面の一部を構成すると共に前記搬送部を覆う第１カバーと、
前記第１軸心と平行な第２軸心周りで開閉可能であって、閉じた状態で前記第１カバーと共に前記外装面の一部を構成し、開いた状態で前記外装面とは反対側の面が前記搬送部によって搬送されるシート、又は前記搬送部から排出されたシートを支持するシート支持面を構成する第２カバーと、を含み、
前記第１カバーと前記第２カバーとが閉じた状態で、前記第１カバーにおける前記第１軸心とは反対側の第１端縁と、前記第２カバーにおける前記第２軸心とは反対側の第２端縁とが隣接し、
前記第１カバーと前記第２カバーとの間には、前記第１カバーと前記第２カバーとが閉じた状態で、前記第１端縁が前記第１軸心周りで変位することを規制する一方、前記第２端縁が前記第２軸心周りで変位することを許容する規制手段が設けられていることを特徴とする。
【００１０】
本発明の画像読取装置では、第１カバーと第２カバーとの間に、規制手段が設けられている。規制手段は、第１カバーと第２カバーとが閉じた状態で、第１端縁が第１軸心周りで変位することを規制する。このため、第２カバーを開こうとするユーザの意図に反して第１カバーが開かれてしまう不具合が生じ難い。その一方、規制手段は、第２端縁が第２軸心周りで変位することを許容するので、ユーザが第２カバーを開く操作の妨げになり難い。
【００１１】
したがって、本発明の画像読取装置では、開放位置においてシート支持面として機能するカバーを開く際に、ユーザの誤操作を抑制することができる。
【図面の簡単な説明】
【００１２】
【図１】実施例の画像読取装置の斜視図である。
【図２】実施例の画像読取装置の模式正面図である。
【図３】実施例の画像読取装置に係り、第２カバーを開いた状態の開閉部を示す部分斜視図である。
【図４】実施例の画像読取装置に係り、第１カバー及び第２カバーを開いた状態の開閉部を示す部分斜視図である。
【図５】実施例の画像読取装置の部分断面図である。
【図６】図１の領域Ｅ１を示す部分下面図である。
【図７】（ａ）は図６から第１カバーのみを抜き出して示す部分下面図であり、（ｂ）は図６から第２カバーのみを抜き出して示す部分下面図である。
【図８】閉じた状態の第１カバーを示す部分斜視図である。
【図９】閉じた状態の第２カバーを示す部分側面図である。
【図１０】図６のＡ−Ａ断面を示す部分断面図である。
【図１１】図１０と同様の断面であって、開かれようとする第２カバーを示す部分断面図である。
【図１２】図１０と同様の断面であって、開かないように規制される第１カバーを示す部分断面図である。
【図１３】変形例の画像読取装置に係り、変形部及びリンク機構を主に示す部分斜視図である。
【図１４】変形例の画像読取装置に係り、変形部及びリンク機構を主に示す部分断面図である。
【図１５】図７（ｂ）と同様の部分下面図であって、開口部の他の具体例を示す図である。
【発明を実施するための形態】
【００１３】
以下、本発明を具体化した実施例を図面を参照しつつ説明する。
【００１４】
（実施例）
図１に示すように、実施例の画像読取装置１は、本発明の画像読取装置の具体的態様の一例である。図１では、操作パネル８Ｐが設けられた側を装置の前側と規定し、操作パネル８Ｐに向かった場合に左手に来る側を左側と規定して、前後、左右及び上下の各方向を表示する。そして、図２以降の各図に示す各方向は、全て図１に示す各方向に対応させて表示する。以下、図１等に基づいて、画像読取装置１が備える各構成要素について説明する。
【００１５】
＜全体構成＞
図１〜図５に示すように、画像読取装置１は、本体部８、開閉部９、画像形成ユニット５、読取ユニット３及び搬送部４を備えている。本体部８は、扁平な略箱状体である。図１に示すように、本体部８の前面には、タッチパネル等である操作パネル８Ｐが設けられている。
【００１６】
図２に示すように、画像形成ユニット５は、本体部８内の下側部分に収容されている。画像形成ユニット５は、インクジェット方式又はレーザ方式等によりシートに画像を形成する。読取ユニット３は、本体部８内の上側部分に収容されている。読取ユニット３は、原稿の画像を読み取る際に使用される。搬送部４は、開閉部９内に設けられている。搬送部４は、供給部６に載置された複数枚のシートＳＨを搬送経路Ｐ１に沿って順次搬送しながら、シートＳＨの画像を読取ユニット３に読み取らせる際に使用される。
【００１７】
図５に示すように、本体部８の上面には、第１プラテンガラス４１及び第２プラテンガラス４２が配設されている。第１プラテンガラス４１の上面によって、原稿支持面４１Ａが形成されている。原稿支持面４１Ａは、静止した状態の原稿の画像を読取ユニット３が読み取る際に、その原稿を下側から支持する。読取対象の原稿には、用紙、ＯＨＰシート等であるシートの他、書籍等が含まれる。第２プラテンガラス４２は、第１プラテンガラス４１の左側に位置して前後方向に細長く延びている。第２プラテンガラス４２の上面によって、読取面４２Ａが形成されている。読取面４２Ａは、搬送部４によって１枚ずつ搬送されるシートＳＨの画像を読取ユニット３が読み取る際に、その搬送されるシートＳＨを下側から案内する。なお、本実施例においては、原稿支持面４１Ａを使用して画像が読み取られる対象を原稿と記載し、搬送部４により搬送しながら画像が読み取られる対象をシートＳＨと記載する。原稿とシートＳＨは、実質的に同じものであってもよい。
【００１８】
図１に示すように、開閉部９は、本体部８の後面側上端縁に配設された図示しないヒンジによって、左右方向に延びる開閉軸心Ｘ９周りで揺動可能に支持されている。開閉部９は、図１〜図５に示す閉じた状態では、原稿支持面４１Ａを上方から覆っている。開閉部９は、図１に二点鎖線で図示するように、その前端部側が上方かつ後方に変位するように開閉軸心Ｘ９周りで揺動することにより、原稿支持面４１Ａを露出させる開放位置に変位する。これにより、ユーザは、読取対象の原稿を原稿支持面４１Ａに支持させることができる。
【００１９】
図５に示すように、読取ユニット３は、本体部８内の上側部分に収容された読取センサ３Ｓと、図示しない走査機構とを有している。読取センサ３Ｓは、本発明の「読取部」の一例である。走査機構は、本体部８内において、読取センサ３Ｓを原稿支持面４１Ａ及び読取面４２Ａの下側で左右方向に往復動させる。原稿支持面４１Ａに支持されている原稿の画像を読み取る場合には、読取センサ３Ｓが原稿支持面４１Ａの下側を移動しながら読み取る。読取センサ３Ｓが読取面４２Ａの下側で停止する位置は、固定読取位置である。シートＳＨを搬送部４によって搬送しながら画像を読み取る場合には、読取センサ３Ｓを、固定読取位置に停止させる。読取センサ３Ｓとしては、ＣＩＳ（Ｃｏｎｔａｃｔ  Ｉｍａｇｅ  Ｓｅｎｓｏｒ）やＣＣＤ（Ｃｈａｒｇｅ  Ｃｏｕｐｌｅｄ  Ｄｅｖｉｃｅ）等の周知の画像読取センサが採用される。
【００２０】
図１〜図５に示すように、開閉部９は、それぞれ樹脂製である基体２０、第１カバー１００、第２カバー２００及び案内部材７０を含んでいる。なお、以下の説明では、開閉部９、基体２０、第１カバー１００、第２カバー２００及び案内部材７０についての上下方向及び前後方向は、開閉部９が閉鎖位置にある状態を基準とする。
【００２１】
図５に示すように、基体２０は、開閉部９の下側部分を構成している。基体２０は、中央が凹んだ枠形状である。開閉部９が閉鎖位置にある状態では、基体２０の底面２０Ｔが原稿支持面４１Ａ及び読取面４２Ａに上方から対向し、原稿支持面４１Ａ及び読取面４２Ａを覆う。なお、基体２０の底面２０Ｔには、開閉部９が閉鎖位置にある状態で、原稿支持面４１Ａに支持されている原稿を押圧する押圧部材３９が設けられている。図１に示すように、開閉部９における基体２０の底面２０Ｔとは反対側の面、すなわち、開閉部９の上面は、画像読取装置１の平坦な上面である外装面９Ｓを構成している。外装面９Ｓに略直交する上下方向は、本発明の「第２方向」の一例である。また、基体２０の中央の凹んだ部分には、搬送部４が収容される。
【００２２】
図１及び図３〜図５に示すように、第１カバー１００は、第１軸心Ｘ１周りに開閉可能に基体２０に支持されている。第１軸心Ｘ１は、開閉部９の左端側に位置して、揺動軸心Ｘ９と直交する前後方向に延びている。前後方向は、本発明の「第１方向」の一例である。また、第１軸心Ｘ１は、外装面９Ｓと略平行に延びている。第１カバー１００において、第１軸心Ｘ１とは反対側で第１軸心Ｘ１と平行に延びる端縁を第１端縁１０１とする。
【００２３】
図５に示すように、第１カバー１００は、閉じた状態で案内部材７０の案内面７０Ｇ、及び搬送部４を構成する排出ローラ１２を上側から覆う。図１及び図３に示すように、閉じた状態の第１カバー１００の上側を向く面は、外装面９Ｓの一部である第１外装面１００Ｓを構成している。第１外装面１００Ｓは、外装面９Ｓのうちの左側の略矩形状の領域である。
【００２４】
図１〜図５に示すように、第２カバー２００は、第２軸心Ｘ２周りに開閉可能に基体２０に支持されている。第２軸心Ｘ２は、開閉部９の右側に位置して、第１軸心Ｘ１と平行に延びている。第２カバー２００において、第２軸心Ｘ２とは反対側で第２軸心Ｘ２と平行に延びる端縁を第２端縁２０２とする。
【００２５】
図１に示すように、閉じた状態の第２カバー２００の上側を向く面は、外装面９Ｓの一部である第２外装面２００Ｓを構成している。第２外装面２００Ｓは、外装面９Ｓのうちの左右方向の略中間部に位置する略矩形状の領域である。
【００２６】
第１カバー１００と第２カバー２００とが閉じた状態では、第１カバー１００の第１端縁１０１と、第２カバー２００の第２端縁２０２とが左右方向で隣接する。そして、第１外装面１００Ｓと第２外装面２００Ｓとが略面一な平坦面となって、外装面９Ｓの一部を共に構成する。開閉部９は、第２カバー２００に対して右側から隣接する第３カバー３００を含んでいる。第３カバー３００の上側を向く面も、第１外装面１００Ｓ及び第２外装面２００Ｓと略面一な平坦面となって、外装面９Ｓの一部を共に構成する。また、この状態で、基体２０の中央の凹んだ部分を第１カバー１００、第２カバー２００及び第３カバー３００が上面から覆う形状になって、基体２０の外枠部分と連続する面を形成している。
【００２７】
図１及び図６に示すように、第２カバー２００には、開口部２１１が形成されている。開口部２１１は、第２端縁２０２における前後方向の中間部から第２軸心Ｘ２側に凹むように略矩形状に切り欠かれている。第２カバー２００が閉じた状態で、開口部２１１にユーザの指を差し入れることが可能である。そして、ユーザが開口部２１１の略Ｕ字形状の周縁２１１Ｅに指を掛けて引き上げることにより、図３に示すように、第２カバー２００が開かれる。
【００２８】
第２カバー２００の外装面９Ｓとは反対側の面は、シート支持面２００Ｔを構成している。ここで、シート支持面２００Ｔは、凹凸のない平滑面に限定されず、実質的にシートＳＨを支持可能な面となっていればよい。第２カバー２００が開いた状態では、シート支持面２００Ｔが供給部６の一部を構成し、図２に示すように、搬送部４によって搬送されるシートＳＨを下側から支持する。シートＳＨには、用紙やＯＨＰシート等が含まれる。
【００２９】
図３に示すように、第２カバー２００が開いた状態で、ユーザが第１カバー１００の第１端縁１０１に指を掛けて引き上げることにより、図４に示すように、第１カバー１００が開かれる。
【００３０】
第１カバー１００は、開いた状態で排出ローラ１２から上方に離間して、案内部材７０の案内面７０Ｇ及び排出ローラ１２の上方を開放する。その結果、搬送経路Ｐ１上において詰まったシートＳＨの除去等、搬送部４の保守作業を実施できる。
【００３１】
図５に示すように、第１カバー１００の第１外装面１００Ｓとは反対側には、カバー側案内面１００Ｇが形成されている。カバー側案内面１００Ｇは、案内部材７０の案内面７０Ｇに対して上方から対向している。カバー側案内面１００Ｇは、本発明の「案内面」の一例である。ここで、カバー側案内面１００Ｇは、凹凸のない平滑面に限定されず、実質的にシートＳＨを案内可能な面となっていればよい。
【００３２】
図３〜図５に示すように、基体２０の中央の凹んだ部分であって、底面２０Ｔの上側には、載置面２０Ａが形成されている。載置面２０Ａは、開いた状態の第２カバー２００の第２軸心Ｘ２側で前後方向に延びる端縁に接続し、左側に向かって略水平に延在している。載置面２０Ａも、開いた状態の第２カバー２００のシート支持面２００Ｔとともに、供給部６の一部を構成している。載置面２０Ａは、シート支持面２００Ｔとともに、供給部６に載置されるシートＳＨを下側から支持する。
【００３３】
載置面２０Ａ上には、一対のサイドガイド７５、７５が前後方向にスライド可能に配設されている。両サイドガイド７５、７５は、前後方向において互いに対向しつつ上方に垂直に突出した後、前後方向において互いに接近する方向に屈曲している。両サイドガイド７５、７５は、さらに前後方向に接近する方向に延びる延出部７５Ａ、７５Ａを有している。延出部７５Ａ、７５Ａと載置面２０Ａとの間は、所定の間隔を有している。
【００３４】
両サイドガイド７５、７５は、図示しないラック＆ピニオン機構によって連結されている。両サイドガイド７５、７５は、互いに接近又は離間することにより、供給部６に載置されるサイズの異なる複数種類のシートＳＨを前後から挟む。こうして、両サイドガイド７５、７５は、供給部６上のシートＳＨの位置を前後方向において載置面２０Ａのセンター基準で位置決めする。
【００３５】
図５に示すように、基体２０には、傾斜面２０Ｂ、切欠部２０Ｃ、下側湾曲案内面２０Ｄ及び押圧部材支持部２９が形成されている。傾斜面２０Ｂは、載置面２０Ａより左側に位置して載置面２０Ａに連続し、左側に向かって下り傾斜している。切欠部２０Ｃは、傾斜面２０Ｂの左側で前後方向に細長い矩形状に切り欠かれている。下側湾曲案内面２０Ｄは、切欠部２０Ｃの左側に位置し、左側に向かって湾曲しつつ上り傾斜している。押圧部材支持部２９は、切欠部２０Ｃの上側に位置して前後方向に細長く延び、切欠部２０Ｃを前後方向において跨いでいる。
【００３６】
押圧部材支持部２９の下側には、押圧部材３９が配設されている。押圧部材３９は、上下方向に変位可能に押圧部材支持部２９に支持されている。押圧部材３９は、切欠部２０Ｃを介して、第２プラテンガラス４２の読取面４２Ａに対向する。
【００３７】
押圧部材支持部２９と押圧部材３９との間には、圧縮コイルバネ３８が配設されている。圧縮コイルバネ３８の上端は、押圧部材支持部２９に係止されている。圧縮コイルバネ３８の下端は、押圧部材３９に当接している。圧縮コイルバネ３８は、押圧部材３９を読取面４２Ａに向けて付勢する。
【００３８】
図４及び図５に示すように、案内部材７０は、載置面２０Ａの左側部分、傾斜面２０Ｂ、切欠部２０Ｃ及び押圧部材支持部２９に対して上側に位置して、前後方向及び左右方向に延びている。案内部材７０の前端縁側と後端縁側とが基体２０に固定されることにより、案内部材７０は、前後方向において載置面２０Ａ等を跨いだ状態で、基体２０に組み付けられている。案内部材７０の略水平に延在する上面は、案内面７０Ｇとされている。
【００３９】
案内面７０Ｇは、両サイドガイド７５、７５の延出部７５Ａ、７５Ａに左側から隣接している。両サイドガイド７５、７５の延出部７５Ａ、７５Ａと、案内面７０Ｇとは、排出部７を構成している。排出部７は、供給部６に対して上側に位置している。図２に示すように、排出部７には、搬送部４によって搬送され、読取センサ３Ｓによって画像が読み取られたシートＳＨが排出される。
【００４０】
図５に示すように、第１カバー１００の排出ローラ１２と対向する範囲には、上側湾曲案内面１００Ｄが形成されている。上側湾曲案内面１００Ｄは、基体２０側の下側湾曲案内面２０Ｄに接続し、右側に向かって湾曲しつつ上り傾斜している。
【００４１】
基体２０、案内部材７０及び第１カバー１００によって、図２及び図５に示す搬送経路Ｐ１が規定されている。より詳しくは、搬送経路Ｐ１は、下側経路ＰＢ１と湾曲経路ＰＣ１と上側経路ＰＡ１とを含んでいる。
【００４２】
図５に示すように、下側経路ＰＢ１は、載置面２０Ａから、傾斜面２０Ｂに沿って左側に向かって下り傾斜し、第２プラテンガラス４２の読取面４２Ａの上側を通過する。この際、案内部材７０の下面及び押圧部材３９の下面も、下側経路ＰＢ１を上側から規定する。下側経路ＰＢ１では、シートＳＨの搬送方向は左向きである。
【００４３】
湾曲経路ＰＣ１は、下側経路ＰＢ１と接続する。そして、湾曲経路ＰＣ１は、下側湾曲案内面２０Ｄ及び上側湾曲案内面１００Ｄに沿って上向きにＵターンして、右向きにシートＳＨの搬送方向を変更し、そのシートＳＨを第１カバー１１０の第１端縁１０１に向けて案内する。そして、湾曲経路ＰＣ１は、上側経路ＰＡ１に接続する。
【００４４】
下側湾曲案内面２０Ｄ及び上側湾曲案内面１００Ｄは、湾曲経路ＰＣ１を湾曲の外側から規定する。また、排出ローラ１２の外周面は、湾曲経路ＰＣ１を湾曲の内側から規定する。ここで、湾曲の外側とは、排出ローラ１２の外周面から径外方向に離間する側であり、湾曲の内側とは、排出ローラ１２の外周面側である。
【００４５】
上側経路ＰＡ１は、案内部材７０の案内面７０Ｇに案内されて、右方に進み、第１カバー１１０の第１端縁１０１の真下を通過して、両サイドガイド７５、７５の延出部７５Ａ、７５Ａの上側に至る。この際、カバー側案内面１００Ｇは、搬送経路Ｐ１を挟んで案内面７０Ｇと対向し、上側経路ＰＡ１を上側から規定する。カバー側案内面１００Ｇは、案内面７０Ｇとともに、搬送されるシートＳＨに対して接触しつつ、そのシートＳＨを第１カバー１１０の第１端縁１０１の真下を通過するように案内し、さらに、両サイドガイド７５、７５の延出部７５Ａ、７５Ａの上側に向けて案内する。
【００４６】
こうして、搬送経路Ｐ１は、供給部６に載置されたシートＳＨを読取センサ３Ｓに案内し、さらに排出部７へと導くようになっている。
【００４７】
図５に示すように、搬送部４は、供給ローラ１５と、分離ローラ１６と、分離パッド１６Ａとを有している。供給ローラ１５と分離ローラ１６とは、基体２０に回転可能に支持され、基体２０の載置面２０Ａの左側部分に自己の上側部分を露出させている。分離ローラ１６は、搬送経路Ｐ１の下側経路ＰＢ１における供給ローラ１５より下流側、すなわち、供給ローラ１５に対して左側に位置している。
【００４８】
分離バッド１６Ａは、分離ローラ１６に対して下側経路ＰＢ１を挟んで上側に位置している。分離バッド１６Ａは、案内部材７０に変位可能に支持され、分離ローラ１６に向けて押圧されている。
【００４９】
供給ローラ１５及び分離ローラ１６は、第２カバー２００及び載置面２０Ａに載置されるシートＳＨに対して下側から当接しつつ回転し、搬送経路Ｐ１の下側経路ＰＢ１に送り出す。この際、分離ローラ１６及び分離パッド１６Ａは、そのシートＳＨが複数枚重なっていれば１枚ずつに分離する。
【００５０】
また、搬送部４は、搬送ローラ１１、第１ピンチローラ１１Ｐ、排出ローラ１２、第２ピンチローラ１２Ｐ及び排出ピンチローラ１３を有している。
【００５１】
搬送ローラ１１は、傾斜面２０Ｂに上側から対向する位置で、案内部材７０に回転可能に支持されている。第１ピンチローラ１１Ｐは、基体２０に回転可能に支持されて、その上側部分を傾斜面２０Ｂから露出させている。第１ピンチローラ１１Ｐは、搬送ローラ１１に向けて押圧されている。
【００５２】
排出ローラ１２は、下側湾曲案内面２０Ｄ及び上側湾曲案内面１００Ｄより右側の位置で、回転可能に基体２０に支持されている。排出ローラ１２の外周面は、下側湾曲案内面２０Ｄに対して搬送経路Ｐ１の湾曲経路ＰＣ１を挟んで上側かつ右側から対向している。また、排出ローラ１２の外周面は、第１カバー１００の上側湾曲案内面１００Ｄに対して搬送経路Ｐ１の湾曲経路ＰＣ１を挟んで下側かつ右側から対向している。
【００５３】
第２ピンチローラ１２Ｐは、基体２０に回転可能に支持され、その上側部分を下側湾曲案内面２０Ｄから露出させている。第２ピンチローラ１２Ｐは、排出ローラ１２に向けて押圧されている。
【００５４】
排出ピンチローラ１３は、第１カバー１００における上側湾曲案内面１００Ｄの近傍に回転可能に支持され、排出ローラ１２に向けて押圧されている。
【００５５】
搬送ローラ１１及び第１ピンチローラ１１Ｐは、供給ローラ１５及び分離ローラ１６によって搬送経路Ｐ１に送り出されたシートＳＨを切欠部２０Ｃに向けて搬送し、第２プラテンガラス４２の読取面４２Ａと押圧部材３９の下面との間を、すなわち、固定読取位置にある読取センサ３Ｓの上側を通過させる。
【００５６】
排出ローラ１２、第２ピンチローラ１２Ｐ及び排出ピンチローラ１３は、読取センサ３Ｓの上側を通過したシートＳＨを湾曲経路ＰＣ１において上向きにＵターンするように搬送する。この際、湾曲経路ＰＣ１を通過するシートＳＨに対して、下側湾曲案内面２０Ｄ及び上側湾曲案内面１００ＤがシートＳＨに湾曲の外側から当接し、そのシートＳＨを湾曲させながら案内する。そして、排出ローラ１２及び排出ピンチローラ１３は、湾曲経路ＰＣ１を通過したシートＳＨを上側経路ＰＡ１において搬送し、排出部７に排出する。そして、そのシートＳＨは、排出部７としての案内面７０Ｇ及び両サイドガイド７５、７５の延出部７５Ａ、７５Ａの上側に排出される。つまり、案内面７０Ｇは、シートＳＨの案内と、シートＳＨの積載とを兼ねている。
【００５７】
＜画像読取動作＞
この画像読取装置１では、原稿支持面４１Ａに支持された原稿の画像を読み取る場合、読取ユニット３において図示しない走査機構が作動し、読取センサ３Ｓを原稿支持面４１Ａの左端縁の下側から右端縁の下側までの間で左右方向に移動させる。これにより、読取センサ３Ｓは、原稿支持面４１Ａに支持された原稿の画像を読み取る。その後、図示しない走査機構は、読み取りを終えた読取センサ３Ｓを読取ユニット３内における右端側から左端側に移動させ、元の位置に復帰させる。
【００５８】
また、この画像読取装置１では、供給部６としての第２カバー２００のシート支持面２００Ｔ及び載置面２０Ａに支持される複数枚のシートＳＨの画像を読み取る場合、読取ユニット３において、図示しない走査機構が作動し、読取センサ３Ｓを読取面４２Ａの下側の固定読取位置に停止させる。その後、搬送部４がシート支持面２００Ｔ及び載置面２０Ａに支持されるシートＳＨを搬送経路Ｐ１に沿って順次搬送すると、そのシートＳＨが読取面４２Ａに接触しながら固定読取位置にある読取センサ３Ｓの上側を通過するので、読取センサ３Ｓは、その通過するシートＳＨの画像を読み取る。搬送部４は、画像が読み取られたシートＳＨを順次排出部７に搬送し、先に排出部７に搬送されたシートＳＨの下側に次のシートＳＨを潜り込ませるようにして、それらのシートＳＨを排出部７に積載する。
【００５９】
＜規制手段の構成＞
図３、図４及び図６〜図１０に示すように、実施例の画像読取装置１では、第１カバー１００に、第１凹部１２１及び第２凹部１２２を有する突出部１１１、１１２が形成されている。第２カバー２００に、柱部２３１、２３２、第１凸部２２１及び第２凸部２２２が形成されている。
【００６０】
突出部１１１、１１２、第１凹部１２１、第２凹部１２２、第１凸部２２１及び第２凸部２２２は、本発明の「第１カバーと第２カバーとの間に設けられた規制手段」の一例である。第１凹部１２１及び第２凹部１２２は、本発明の「凹部」の一例である。第１凸部２２１及び第２凸部２２２は、本発明の「凸部」の一例である。
【００６１】
突出部１１１、１１２、第１凹部１２１及び第２凹部１２２は、熱可塑性樹脂の射出成形等によって第１カバー１００を製造する際に、第１カバー１００に一体成形される。柱部２３１、２３２、第１凸部２２１及び第２凸部２２２は、熱可塑性樹脂の射出成形等によって第２カバー２００を製造する際に、第２カバー２００に一体成形される。柱部２３１、２３２は、排出部７に排出されたシートＳＨの長さが長い場合、あるいは、複数枚のシートＳＨが連続して排出され、排出済みのシートＳＨがシート支持面２００Ｔまで到達する場合、そのシートＳＨの落下を抑制するストッパとして機能する。なお、これらの構成は、各々のカバーに一体形成されていなくてもよく、別体で形成してカバーに後から取り付けても良い。
【００６２】
図６〜図８及び図１０に示すように、突出部１１１、１１２は、第１カバー１００の第１端縁１０１から、閉じた状態にある第２カバー２００に向かって（第１軸心Ｘ１から離間する方向に）突出している。具体的には、突出部１１１、１１２の上面は、第１カバー１００の第１外装面１００Ｓよりも本体部側に下がった位置にあり、突出部１１１、１１２の下面は、第１カバー１００のカバー側案内面１００Ｇとほぼ同一面を形成する位置にある。
【００６３】
図６及び図７に示すように、突出部１１１、１１２は、第１カバー１００と第２カバー２００とが閉じた状態で、第２カバー２００の開口部２１１の近傍に位置するように、第１カバー１００に配置されている。この状態では、突出部１１１は、開口部２１１の前端側に位置し、突出部１１２は、開口部２１１の後端側に位置している。すなわち、突出部１１１、１１２は、開口部２１１を挟んで、前後方向に対向する位置にある。
【００６４】
図１０に示すように、第１カバー１００と第２カバー２００とが閉じた状態で、突出部１１１、１１２は、第２カバー２００のシート支持面２００Ｔよりも下側に位置するように、その突出量が設定されている。突出部１１１、１１２は、第１端縁１０１側から第２端縁２０２に向かって、すなわち、右側に向かって、シート支持面２００Ｔに下から沿うように突出している。
【００６５】
図６〜図８及び図１０に示すように、第１凹部１２１は、前側の突出部１１１の後端縁から前向きに凹むように切り欠かれてなる。第１凹部１２１は、前側の突出部１１１を上下方向において貫通している。第１凹部１２１の内壁面のうち、右側に位置する内壁面は第１規制面１２１Ａとされ、前側に位置する内壁面は第１内壁面１２１Ｃとされている。
【００６６】
第２凹部１２２は、後側の突出部１１２の前端縁から後向きに凹むように切り欠かれてなる、第２凹部１２２は、後側の突出部１１２を上下方向において貫通している。第２凹部１２２の内壁面のうち、右側に位置する内壁面は第２規制面１２２Ａとされ、後側に位置する内壁面は第２内壁面１２２Ｃとされている。
【００６７】
図６、図７、図９及び図１０に示すように、柱部２３１、２３２は、第２カバー２００の第２端縁２０２に沿う位置で、前側と後側とから開口部２１１を挟んでいる。柱部２３１は、開口部２１１の略Ｕ字形状の周縁２１１Ｅの前端部に隣接し、柱部２３２は、周縁２１１Ｅの後端部に隣接している。柱部２３１、２３２は、第２カバー２００のシート支持面２００Ｔ側に設けられ、第２外装面２００Ｓとは反対側に突出している。図９及び図１０に示すように、第２カバー２００が閉じた状態において、柱部２３１、２３２は、上下方向における本体部８側、すなわち下側に略角柱状に突出している。
【００６８】
図６、図７、図９及び図１０に示すように、第１凸部２２１は、開口部２１１の前端側に配置されている。第１凸部２２１は、第２カバー２００のシート支持面２００Ｔに設けられ、柱部２３１と同様に、第２外装面２００Ｓとは反対側に突出している。第１凸部２２１は、柱部２３１に対して前側から接続している。図１０に詳細に示すように、第１凸部２２１の前側を向く外壁面２２１Ｃは、シート支持面２００Ｔの近傍ではシート支持面２００Ｔに対して垂直に延び、その後、シート支持面２００Ｔから離間するにつれて後向きに傾斜している。
【００６９】
第２凸部２２２は、開口部２１１の後端側に配置されている。第２凸部２２２は、第２カバー２００のシート支持面２００Ｔに設けられ、柱部２３２と同様に、第２外装面２００Ｓとは反対側に突出している。第２凸部２２２は、柱部２３２に対して後側から接続している。図１０に詳細に示すように、第２凸部２２２の後側を向く外壁面２２２Ｃは、シート支持面２００Ｔの近傍ではシート支持面２００Ｔに対して垂直に延び、その後、シート支持面２００Ｔから離間するにつれて前向きに傾斜している。
【００７０】
図６及び図１０に示すように、第１カバー１００と第２カバー２００とが閉じた状態において、第１凸部２２１及び第２凸部２２２は、上下方向における本体部８側、すなわち下側に向かって突出する。そして、第１凸部２２１は第１凹部１２１に進入し、第２凸部２２２は第２凹部１２２に進入するように構成されている。
【００７１】
また、第１凸部２２１及び第２凸部２２２の左側を向く外壁面２２１Ｂ、２２２Ｂは、第２端縁２０２の真下に位置して上下方向に延在している。図１０に示すように、第１カバー１００と第２カバー２００とが閉じた状態において、外壁面２２１Ｂと第１凹部１２１との間、及び外壁面２２２Ｂと第２凹部１２２との間には、左右方向において、ある程度の隙間Ｓ１が確保されている。
【００７２】
図６及び図１０に示すように、第１カバー１００と第２カバー２００とが閉じた状態において、第１凸部２２１の右側を向く外壁面２２１Ａは、第１凹部１２１の第１規制面１２１Ａに左側から対向し、第２凸部２２２の右側を向く外壁面２２２Ａは、第２凹部１２２の第２規制面１２２Ａに左側から対向している。図１０に示すように、外壁面２２１Ａと第１規制面１２１Ａとの間、及び外壁面２２２Ａと第２規制面１２２Ａとの間には、左右方向において、隙間Ｓ１より小さい隙間Ｓ２が確保されている。
【００７３】
図６に示すように、第１カバー１００と第２カバー２００とが閉じた状態で、第１凸部２２１の前側を向く外壁面２２１Ｃが第１凹部１２１の第１内壁面１２１Ｃに後側から当接し、かつ、第２凸部２２２の後側を向く外壁面２２１Ｃが第２凹部１２２の第２内壁面１２２Ｃに前側から当接している。つまり、外壁面２２１Ｃ、２２２Ｃは、第１内壁面１２１Ｃ及び第２内壁面１２２Ｃに前後から挟まれており、第１内壁面１２１Ｃ及び第２内壁面１２２Ｃに前後方向の内側から当接している。
【００７４】
図４に示すように、第２軸心Ｘ２から第１凸部２２１及び第２凸部２２２までの距離Ｌ２は、第１軸心Ｘ１から第１凹部１２１及び第２凹部１２２までの距離Ｌ１よりも長く設定されている。また、図９に示すように、柱部２３１、２３２のシート支持面２００Ｔとは反対側の先端、すなわち、第２カバー２００が閉じた状態で、本体部８側に位置する先端部２３１Ａ、２３２Ａは、基体２０の載置面２０Ａに当接する。
【００７５】
＜作用効果＞
実施例の画像読取装置１では、図３、図４及び図６〜図１０に示すように、第１カバー１００に、第１凹部１２１及び第２凹部１２２を有する突出部１１１、１１２が形成されている。第２カバー２００に、第１凸部２２１及び第２凸部２２２が形成されている。突出部１１１、１１２、第１凹部１２１、第２凹部１２２、第１凸部２２１及び第２凸部２２２は、第１カバー１００と第２カバー２００との間に設けられた規制手段を構成している。
【００７６】
第１カバー１００と第２カバー２００とが閉じた状態から、第２カバー２００を開く場合、図１１に示すように、第１凸部２２１及び第２凸部２２２は、第２軸心Ｘ２周りで距離Ｌ２（図４参照）を半径とする大きな円弧を描きながら上方に変位し、第１凹部１２１及び第２凸部２２２から離脱する。この際、外壁面２２１Ｂと第１凹部１２１との間、及び外壁面２２２Ｂと第２凹部１２２との間に確保された隙間Ｓ１と、外壁面２２１Ａと第１規制面１２１Ａとの間、及び外壁面２２２Ａと第２規制面１２２Ａとの間に確保された隙間Ｓ２とがゼロより大きい範囲で変動するだけである。こうして、第１凹部１２１、第２凹部１２２、第１凸部２２１及び第２凸部２２２は、第２カバー２００の第２端縁２０２が第２軸心Ｘ２周りで変位することを許容するので、ユーザが第２カバー２００を開く操作の妨げになり難い。
【００７７】
その一方、第１カバー１００と第２カバー２００とが閉じた状態で、第１カバー１００を開こうとする場合、図１２に示すように、第１カバー１００の第１端縁１０１が第１軸心Ｘ１周りで上方に変位しようとする。すると、第１カバー１００の突出部１１１、１１２に対して、第２カバー２００のシート支持面２００Ｔが上側から、すなわち、第１軸心Ｘ１の周方向から当接する。さらに、外壁面２２１Ａと第１規制面１２１Ａとの間、及び外壁面２２２Ａと第２規制面１２２Ａとの間に確保された隙間Ｓ２がゼロになる。つまり、第１規制面１２１Ａに対して、外壁面２２１Ａが左側から、すなわち、第１軸心Ｘ１の径方向の内側から当接する。また、第２規制面１２２Ａに対して、外壁面２２２Ａが左側から、すなわち、第１軸心Ｘ１の径方向の内側から当接する。こうして、第１凹部１２１、第２凹部１２２、第１凸部２２１及び第２凸部２２２によって、第１端縁１０１の変位が規制される。その結果、第１端縁１０１が第１軸心Ｘ１周りで上方に変位し難い。このため、第２カバー２００が開放されていない状態で、第１カバー１００が開放されることが抑制され、ユーザが誤って第１カバー１００を開いてしまう不具合を抑制できる。
【００７８】
したがって、実施例の画像読取装置１では、開放位置においてシート支持面２００Ｔとして機能する第２カバー２００を開く際に、ユーザの誤操作を抑制することができる。
【００７９】
また、この画像読取装置１では、第１カバー１００側に突出部１１１、１１２を形成した上でさらに第１凹部１２１、第２凹部１２２を形成し、第２カバー２００側に第１凸部２２１及び第２凸部２２２を形成するという簡単な構成により、第２カバー２００が開放されていない状態での第１カバー１００の変位を効果的に抑制できる。
【００８０】
また、この画像読取装置１では、第１カバー１００と第２カバー２００とが閉じた状態で、突出部１１１、１１２は、第２カバー２００のシート支持面２００Ｔよりも下側に位置するように、その突出する位置、長さが設定されており、第１カバー１００における突出部１１１、１１２は、上下方向から見て、第２カバーの第２端縁２０２と重なる位置に設けられる。これにより、外装面９Ｓ側から見て、規制手段を構成する突出部１１１、１１２等が見えない位置になる。このため、規制手段が装置の外観に影響を及ぼすことを抑制できる。
【００８１】
また、この画像読取装置１では、突出部１１１、１１２の上面は、第１カバー１００の第１外装面１００Ｓよりも本体部８側に下がった位置にあり、突出部１１１、１１２の下面は、第１カバー１００のカバー側案内面１００Ｇとほぼ同一面を形成する位置にある。これにより、第１カバー１００と第２カバー２００を閉じた状態で、突出部１１１、１１２に対して上側から重なる位置に第２カバー２００の第２端縁２０２を配置させた場合、第１カバー１００の第１外装面１００Ｓと、第２カバー２００の第２外装面２００Ｓとの間における、上下方向の段差を抑制し易い。
【００８２】
また、この画像読取装置１では、第２カバー２００に開口部２１１が設けられ、開口部２１１を介して第２カバー２００の開放操作を行う構成においては、開口部２１１に隣接する第１カバーの第１端縁１０１に指が誤って掛かり、第１カバー１００を開放する方向に変位させる可能性があるが、本実施例の構成によれば、開口部２１１の前端側及び後端側に配置された第１凹部１２１、第２凹部１２２、第１凸部２２１及び第２凸部２２２によって、第１カバー１００の第１端縁１０１の変位が規制される。その結果、第１端縁１０１が第１軸心Ｘ１周りで上方に変位し難い。このため、第２カバー２００が開放されていない状態で、第１カバー１００が開放されることが抑制され、ユーザが誤って第１カバー１００を開いてしまう不具合を抑制できる。
【００８３】
さらに、この画像読取装置１では、規制手段を構成する各構成要素が、開口部２１１の近傍に配置されることで、開口部２１１を介して第２カバー２００の開放操作を行う場合に、第２カバーに対して最も力のかかる部分である開口部の近傍に規制手段が設けられることになり、規制手段としての効果を発揮し易い。
【００８４】
さらに、この画像読取装置１では、図６に示すように、第１カバー１００と第２カバー２００とが閉じた状態で、第１凸部２２１の外壁面２２１Ｃが第１凹部１２１の第１内壁面１２１Ｃに第１方向の内側、すなわち前側から当接し、かつ、第２凸部２２２の外壁面２２２Ｃが第２凹部１２２の第２内壁面１２２Ｃに第１方向の内側、すなわち後側から当接している。これにより、この画像読取装置１では、第１端縁１０１と第２端縁２０２との前後方向の位置ずれを抑制できる。このため、第１外装面１００Ｓから第２外装面２００Ｓに亘って連続して施されたデザイン等がずれることによる外観品位の低下を抑制できる。
【００８５】
また、この画像読取装置１では、図４に示すように、第２軸心Ｘ２から第１凸部２２１及び第２凸部２２２までの距離Ｌ２は、第１軸心Ｘ１から第１凹部１２１及び第２凹部１２２までの距離Ｌ１よりも長く設定されている。これにより、この画像読取装置１では、図１１に示すように、第２カバー２００を開く際に、第１凹部１２１及び第２凹部１２２から抜ける第１凸部２２１及び第２凸部２２２が描く円弧状の軌跡が上下方向に延びる直線に近くなるので、第１凸部２２１及び第２凸部２２２が第１凹部１２１及び第２凹部１２２に干渉し難くなる。
【００８６】
さらに、この画像読取装置１では、第１カバー１００のカバー側案内面１００Ｇは、湾曲経路ＰＣ１を通過するシートＳＨを上側経路ＰＡ１において案内して、第１端縁１０１の真下を通過させる。この構成では、仮に、開口部２１１に差し入れられた指が第１カバー１００の第１端縁１０１に誤って掛かることを抑制する立壁を第１カバー１００の第１端縁１０１の近傍に設けようとしても、その立壁によって、カバー側案内面１００ＧによるシートＳＨの案内が阻害されてしまう。この点、この画像読取装置１では、上記構成である突出部１１１、１１２、第１凹部１２１、第２凹部１２２、第１凸部２２１及び第２凸部２２２により、カバー側案内面１００ＧによるシートＳＨの案内が阻害することなく、本発明の効果を確実に享受できる。
【００８７】
（変形例）
実施例の画像形成装置１に係る規制手段について、以下に説明するリンク機構１８０を含むように変更してもよい。この場合、上記実施例の突出部１１１、１１２、第１凹部１２１、第２凹部１２２、第１凸部２２１及び第２凸部２２２を残してもよいし、それらを取り除いてもよい。
【００８８】
図１３及び図１４に示すように、開閉部９は、変形部１９０を有している。変形部１９０は、案内部材７０の前端側から上向きに突出する小片である。変形部１９０は、鍵爪状に形成された上端部が前後方向に弾性変形可能である。
【００８９】
第１カバー１００の第１端縁１０１側、かつ前側の角部には、係止片１０９が凸設されている。図１４に示すように、変形部１９０は、第１カバー１００が閉じた状態で係止片１０９に係合することにより、第１端縁１０１の上方への変位を規制する。
【００９０】
図１３及び図１４に示すように、リンク機構１８０は、変形部１９０に隣接する位置に配設された略Ｌ字形状のレバーである。リンク機構１８０は、屈曲する部位において、リンク軸心Ｘ１８０周りで揺動可能に案内部材７０に支持されている。リンク機構１８０のリンク軸心Ｘ１８０から上側かつ右側に延びる部位は、入力部１８１とされている。リンク機構１８０のリンク軸心Ｘ１８０から前側に延びる部位は、出力部１８２とされている。
【００９１】
図１４に実線で示すように、リンク機構１８０は、第１カバー１００と第２カバー２００とが閉じた状態で、入力部１８１が第２カバー２００に押し下げられている。この状態では、出力部１８２が変形部１９０の上端部に前側から当接して、第１方向の外側、すなわち、前側への弾性変形を規制する。このため、係止片１０９に係合する変形部１９０が第１端縁１０１の上方への変位を確実に規制するので、第１カバー１００と第２カバー２００とが閉じた状態で、第１カバー１００が開かれる方向に変位することを抑制できる。
【００９２】
その一方、図１４に二点鎖線で示すように、リンク機構１８０は、第２カバー２００が開かれることに連動して、図示しない付勢手段に付勢されて、リンク軸心Ｘ１８０周りで入力部１８１が上方に変位し、出力部１８２が下方に変位する。これにより、変形部１９０の前側への弾性変形がリンク機構１８０によって許容される。このため、図１３に示すように、第２カバー２００が開かれた後に第１カバー１００を開く際、変形部１９０が第１カバー１００の係止片１０９に摺接しつつ前側に弾性変形するので、第１カバー１００を開く操作の妨げになり難い。
【００９３】
したがって、変形例の画像読取装置では、実施例の画像読取装置と同様に、第２カバー２００が開放されていない状態で、第１カバー１００が開放される方向に変位することを抑制することができる。
【００９４】
以上において、本発明を実施例に即して説明したが、本発明は上記実施例に制限されるものではなく、その趣旨を逸脱しない範囲で適宜変更して適用できることはいうまでもない。
【００９５】
図１５に別の具体例の開口部２１２を示す。開口部２１２は、第２カバー２００の第２端縁２０２に隣接する位置で略矩形状をなして開口している。つまり、この例では、第２カバー２００の第２端縁２０２は、前後方向において途切れることなく延びている。この例においても、上記構成の規制手段によって、第２カバー２００を開く際におけるユーザの誤操作を抑制することができる。
【００９６】
実施例では外装面９Ｓは平坦面であるがこの構成には限定されない。外装面は、平面に限らず、多少の凹凸があったり、緩やかに湾曲していてもよい。
【００９７】
実施例では、搬送経路Ｐ１は、下側から供給されるシートを案内し、上向きにＵターンさせた後、上側に排出するがこの構成には限定されない。例えば、搬送経路は、上側から供給されるシートを案内し、下向きにＵターンさせた後、下側に排出する構成であってもよい。
【００９８】
第１カバー１００及び第２カバー２００の位置は、入れ替わっていても良く、カバーの数も上記実施例に限定されるものではない。
【産業上の利用可能性】
【００９９】
本発明は画像読取装置、複合機等に利用可能である。
【符号の説明】
【０１００】
１…画像読取装置、８１Ａ…原稿支持面、８…本体部、３Ｓ…読取部（読取センサ）
Ｘ９…揺動軸心、９…開閉部、ＳＨ…シート、Ｐ１…搬送経路、４…搬送部
９Ｓ…外装面、１００Ｓ、２００Ｓ…外装面の一部、２００Ｔ…シート支持面
Ｘ１…第１軸心、１００…第１カバー、Ｘ２…第２軸心、２００…第２カバー
１０１…第１カバーの第１端縁、２０２…第２カバーの第２端縁
２１１、２１２…開口部、１１１、１１２…突出部
１１１、１１２、２２１、２２２、１８０…規制手段
１２１、１２２…凹部（１２１…第１凹部、１２２…第２凹部）
２２１、２２２…凸部（２２１…第１凸部、２２２…第２凸部）
１２１Ｃ…第１凹部の第１内壁面、１２２Ｃ…第２凹部の第２内壁面
Ｌ１…第１軸心から凹部までの距離、Ｌ２…第２軸心から凸部までの距離
ＰＣ１…湾曲経路、１００Ｇ…案内面（カバー側案内面）
１９０…変形部、１８０…リンク機構
【図１】
2016058862.tif 000003
【図２】
2016058862.tif 000004
【図３】
2016058862.tif 000005
【図４】
2016058862.tif 000006
【図５】
2016058862.tif 000007
【図６】
2016058862.tif 000008
【図７】
2016058862.tif 000009
【図８】
2016058862.tif 000010
【図９】
2016058862.tif 000011
【図１０】
2016058862.tif 000012
【図１１】
2016058862.tif 000013
【図１２】
2016058862.tif 000014
【図１３】
2016058862.tif 000015
【図１４】
2016058862.tif 000016
【図１５】
2016058862.tif 000017